(57)【要約】【課題】  簡易な構成で、酸素濃縮器の吸着剤の寿命を向上できる酸素濃縮器を提供することである。【解決手段】  ステップ１１０では、三方向切換弁７、９の切換タイミングであるか否かを判定する。ステップ１２０では、電磁開閉弁３７をＯＮしてその流路３５を遮断する。ステップ１３０では、酸素濃縮器１が１サイクル分作動したか否かを判定する。ステップ１３０では、酸素濃縮器１が１サイクル分作動したか否かを判定する。ステップ１４０では、１サイクル分作動したので、コンプレッサ５を停止する。ステップ１５０では、均圧弁１９の開放状態を通常より長く維持する。ステップ１６０では、電磁開閉弁３７をＯＦＦして流路３５を開き、全ての動作を停止する。【選択図】 図３
2005312766.tif 000002
【特許請求の範囲】
【請求項１】
酸素より窒素を優先的に吸着する吸着剤を充填した少なくとも２個の吸着筒と、
前記吸着筒に空気を供給して加圧する空気供給手段と、
前記吸着筒内の圧力の加減圧を制御する加減圧切換手段と、
を備え、
前記空気から酸素濃縮ガスを生成する圧力変動吸着型の酸素濃縮器において、
前記酸素濃縮器の運転停止が指示された場合には、酸素供給遮断手段によって前記酸素濃縮ガスの外部への供給を遮断するとともに、
該酸素濃縮ガスの外部への供給を遮断した状態で、前記酸素濃縮器を作動させて少なくとも１個の前記吸着筒で酸素濃縮ガスを生成し、該生成した酸素濃縮ガスを他の吸着筒にパージガスとして供給して、前記吸着剤の水分を除去することを特徴とする酸素濃縮器。
【請求項２】
前記吸着筒における吸気及び排気の行程を、少なくとも１サイクル以上繰り返して、前記パージガスの供給を行うことを特徴とする前記請求項１に記載の酸素濃縮器。
【請求項３】
前記酸素濃縮器の運転停止が指示された場合には、前記吸着筒における吸気又は排気の切換タイミングに到るまで待機してから、前記酸素供給遮断手段による遮断からパージガスの供給に到るパージ処理を実施することを特徴とする前記請求項１又は２に記載の酸素濃縮器。
【請求項４】
前記パージガスを供給した後に前記酸素濃縮器の運転を停止する場合には、前記空気供給手段の動作の停止後、前記加減圧切換手段によって前記空気供給手段から前記吸着筒に到る加圧のための流路を遮断することを特徴とする前記請求項１〜３のいずれかに記載の酸素濃縮器。
【請求項５】
前記パージガスを供給した後に前記酸素濃縮器の運転を停止する場合には、該運転を停止するまで、前記酸素濃縮ガスを生成した吸着筒と前記パージガスを供給した吸着筒とを連通する均圧弁の開弁状態を維持することを特徴とする前記請求項１〜４のいずれかに記載の酸素濃縮器。
【請求項６】
通常運転時に前記吸着筒から供給される酸素濃縮ガスの供給量より、前記パージガスの供給量を大きくしたことを特徴とする前記請求項１〜５のいずれかに記載の酸素濃縮器。
【請求項７】
前記酸素供給遮断手段が、電磁開閉弁又は流量比例制御弁であることを特徴とする前記請求項１〜６のいずれかに記載の酸素濃縮器。
【発明の詳細な説明】
【技術分野】
【０００１】
本発明は、酸素より窒素を優先的に吸着する吸着剤を用い、圧力変動吸着法により高濃度の酸素を患者等に供給する酸素濃縮器に関するものである。
【背景技術】
【０００２】
従来より、高濃度の酸素を患者等に供給することができる装置として、医療用の酸素濃縮器が在宅酸素療法などに使用されている。
この種の酸素濃縮器として、例えば酸素より窒素を優先的に吸着する吸着剤を、複数（例えば２個）の吸着筒に充填した吸着型酸素濃縮器が知られており、なかでも酸素供給手段としてコンプレッサを用いた圧力変動吸着型の酸素濃縮器が、在宅酸素療法の装置として用いられている。
【０００３】
前記圧力変動吸着型酸素濃縮器においては、一般には、空気供給手段によって吸着筒に空気を供給して筒内を加圧状態にすることにより、空気中の窒素を吸着剤に吸着させ、酸素を濃縮して取り出す吸着行程と、吸着筒を大気開放して減圧することにより、吸着剤から吸着窒素を脱離させて吸着剤を再生する再生行程（排気行程）とを、交互又は順次繰り返し、連続的に酸素濃縮ガスを生成している。
【０００４】
更に、近年では、より高濃度の酸素を効率良く得るために、吸着筒を大気開放して減圧することにより、吸着窒素を脱離させるとともに、サージタンクに溜められた製品ガス（酸素濃縮ガス）の一部を用いて、吸着筒内をパージして吸着剤を再生したり（特許文献１参照）、空気圧縮手段を逆に用いて、吸着筒内が負圧になるまで排気を行うことにより、吸着窒素を脱離させて吸着剤を再生させる方法が行われていた（特許文献２参照）。
【特許文献１】特開２００３−１８０８３７号公報     （第２頁、図１）
【特許文献２】特開平７−１５５５２６号公報     （第２頁、図１）
【発明の開示】
【発明が解決しようとする課題】
【０００５】
ところが、医療用酸素濃縮器は、患者の治療に用いられることから、長期的な安全性や安定性が要求されるので、一層の改善が求められている。
つまり、酸素濃縮器には、吸着剤として、５Ａ型や１３Ｘ型ゼオライト或いはＬｉ置換Ｘ型ゼオライトなどの親水性の吸着剤が用いられることが多いが、これらは、長期的な使用により大気中の水分を吸着し窒素の吸着性能が徐々に衰え、酸素濃度が低下することが知られている。
【０００６】
この酸素濃度低下を防ぐために、圧縮空気中の水分をドレン化し除去する方法や、吸着筒の酸素供給側に酸素濃縮用吸着剤とは別にシリカゲルや活性アルミナ等の吸着剤を配置する方法が知られている。
【０００７】
しかしながら、上述した対策は、装置の複雑化や吸湿剤の寿命等の問題があり、吸着剤の延命効果は認められるものの、十分なものとは言えなかった。
医療用の分野でも、一層の改善が求められていた。
【０００８】
本発明は、前記課題を解決するためになされたものであり、その目的は、簡易な構成で、例えば長期間在宅で使用する酸素濃縮器の吸着剤の寿命を向上し、特に患者の長期的な安定した治療等を可能にする酸素濃縮器を提供することである。
【課題を解決するための手段】
【０００９】
（１）請求項１の発明は、酸素より窒素を優先的に吸着する吸着剤を充填した少なくとも２個の吸着筒と、前記吸着筒に空気を供給して加圧する空気供給手段（例えばコンプレサ）と、前記吸着筒内の圧力の加減圧を制御する加減圧切換手段（例えば切換弁）と、を備え、前記空気から酸素濃縮ガスを生成する圧力変動吸着型の酸素濃縮器において、前記酸素濃縮器の運転停止が指示された場合には、酸素供給遮断手段（例えば電磁弁）によって前記酸素濃縮ガスの外部への供給を遮断するとともに、該酸素濃縮ガスの外部への供給を遮断した状態で、前記酸素濃縮器を作動させて少なくとも１個の前記吸着筒で酸素濃縮ガスを生成し、該生成した酸素濃縮ガスを他の吸着筒にパージガスとして供給して、前記吸着剤の水分を除去することを特徴とする。
【００１０】
本発明では、例えば運転停止のスイッチが操作されたことにより、酸素濃縮器の運転停止が指示された場合には、酸素供給遮断手段によって酸素濃縮ガスの外部への供給を遮断し、その状態で酸素濃縮器を作動させて吸着筒で酸素濃縮ガスを生成し、この生成した酸素濃縮ガスを他の吸着筒にパージガスとして供給して吸着剤の水分を除去する。
【００１１】
上述した様に、吸着剤には窒素だけでなく水も吸着されるので、そのままでは、吸着剤の寿命が低下してしまう。そこで、本発明では、運転停止を指示された場合には、酸素濃縮ガスの外部への供給を遮断して、そのまま酸素濃縮ガスを生成する。この酸素濃縮ガスは、高濃度の酸素（例えば９５重量％酸素）を含むとともに、吸着剤により水分が除去された乾燥したガスである。従って、この酸素濃縮ガスを他の吸着筒にパージガスとして供給することにより、吸着筒内の吸着剤から水分を離脱させて、吸着筒外に排出することができる。これにより、吸着剤に含まれる水分を低減できるので、簡易な構成で効率良く吸着剤の寿命を延ばすことができる。
【００１２】
ここで、パージガスとは、吸着剤から水分を除去するためのガス（即ち酸素濃縮ガス）のことである。
尚、酸素供給遮断手段によって酸素濃縮ガスの外部への供給を遮断し、その遮断状態で、酸素濃縮器を作動させて少なくとも１個の吸着筒で酸素濃縮ガスを生成し、生成した酸素濃縮ガスを他の吸着筒にパージガスとして供給して、吸着剤の水分を除去する処理を、パージ処理と称する。
【００１３】
（２）請求項２の発明は、前記吸着筒の吸気及び排気の行程（吸脱着行程）を、少なくとも１サイクル以上繰り返して、前記パージガスの供給を行うことを特徴とする。
本発明では、吸着筒の吸脱着行程を少なくとも１サイクル以上繰り返して、パージガスの供給を行うので、各吸着筒内の吸着剤から十分に水分を除去できるとともに、各吸着筒内の状態が均一化される。つまり、各吸着筒内の吸着剤に含まれる水分等の状態が均一化し、特定の吸着筒の吸着剤の寿命のみが短くなることを防止できる。
【００１４】
ここで、吸脱着行程とは、吸着筒に空気を加圧供給し、吸着剤に窒素を吸着させて酸素濃縮を行う吸気行程と、吸着筒から内部のガス（空気等）を減圧排出し、吸着剤に吸着した窒素を離脱させて排出する排気行程であり、１サイクルの吸脱着行程とは、吸着筒にて吸気行程及び排気行程を行うことである。
【００１５】
例えば２つの吸着筒を有する酸素濃縮器の場合には、まず、一方の吸着筒で酸素濃縮ガスを生成し、その酸素濃縮ガスを用いて他方の吸着筒に対するパージを実施し、次に動作をする吸着筒を切り換えて、前記他方の吸着筒で酸素濃縮ガスを生成し、その酸素濃縮ガスを用いて前記一方の吸着筒に対するパージを実施する。つまり、この様な動作が、１サイクルの吸脱着行程を行ってパージを行うということである。
【００１６】
（３）請求項３の発明は、前記酸素濃縮器の運転停止が指示された場合には、前記吸着筒における吸気（吸着筒に空気を供給）又は排気（吸着筒から内部のガスを排出）の切換タイミングに到るまで待機してから、前記酸素供給遮断手段による遮断からパージガスの供給に到るパージ処理を実施することを特徴とする。
【００１７】
酸素濃縮器の運転停止が指示されたときに、即座にパージ処理行程に移行すると、一方の吸着筒の圧力が過度に増加する場合があり、吸着筒間の圧力が不均衡になる。
従って、本発明では、吸気又は排気の切換タイミングに到るまで待機してから、パージ処理に移行するので、適度に設定された圧力（例えば通常よりやや高い圧力）のパージガス（酸素濃縮ガス）を、水分を除去する吸着筒に供給することができる。
【００１８】
本発明の動作によって圧力の過度の上昇を防止できるのは、下記の理由による。
装置の運転停止が指示されたのと同時にパージ処理行程に移行した場合、運転停止の指示がなされた瞬間の吸着筒間の圧力が均等でない可能性がある。一般的に、吸気及び排気の切換タイミングは時間によって制御されているため、一方の筒内圧が高い状態で切り換わったときには、その分だけ圧力が上昇し、吸着筒間の圧力が不均衡になってしまう。
【００１９】
これに対して本発明では、吸気又は排気の切換タイミングに到るまで待機してから、パージ処理行程に移行するため、吸着筒間の圧力が絶えず均等な状態から始まることになって、圧力の不均衡が生ぜず、よって圧力の過度の上昇を防止できる。
【００２０】
（４）請求項４の発明は、前記パージガスを供給した後に前記酸素濃縮器の運転を停止する場合には、前記空気供給手段の動作の停止後、前記加減圧切換手段によって前記空気供給手段から前記吸着筒に到る加圧のための流路を遮断することを特徴とする。
【００２１】
本発明では、酸素濃縮器の運転を停止する場合には、空気供給手段の動作を停止してから、加減圧切換手段によって空気供給手段から吸着筒に到る加圧のための流路を遮断するので、結露が生じにくいという利点がある。
【００２２】
本発明の動作によって結露が生じ難い理由は、下記の理由による。
通常、電源を停止したとき、空気供給手段及び加減圧切換手段の動作（即ち前記加圧の流路が遮断）が同時に停止してしまうと、空気供給手段から加減圧切換手段に向かう管路内に圧縮された空気が閉じこめられてしまう。空気は、圧力に反比例して飽和水蒸気量が減少するため、圧縮された空気は相対湿度が高い状態となる。ただ、この時の圧縮空気は圧縮熱と空気圧縮手段の発熱により暖められることで飽和水蒸気量が増加するため、結露しにくい状態にあるだけで、装置停止後は自然冷却され、飽和水蒸気量が減少すれば結露し易くなる。
【００２３】
これに対して本発明では、酸素濃縮器の運転を停止する場合、空気供給手段の動作を停止してから、加減圧切換手段によって空気供給手段から吸着筒への流路を遮断することにより、管路内の圧力が開放されるため、結露が生じにくくなる。
【００２４】
尚、前記加減圧切換手段とは、例えば、空気供給手段から吸着筒に到る流路を開閉したり、吸着筒から外界に到る流路を開閉することにより、吸着筒内の圧力の加減圧を制御するものであり、例えば（空気供給手段及び吸着筒の連通状態（外界とは遮断）と、吸着筒及び外界の連通状態（空気供給手段とは遮断）とを切り換える）三方向切換弁や、複数の２位置開閉弁の組み合わせ等により実現できる。
【００２５】
（５）請求項５の発明は、前記パージガスを供給した後に前記酸素濃縮器の運転を停止する場合には、該運転を停止するまで、前記酸素濃縮ガスを生成した吸着筒と前記パージガスを供給した吸着筒とを連通する均圧弁の開弁状態を維持することを特徴とする。
【００２６】
本発明では、酸素濃縮器の運転停止時には、酸素濃縮ガスを生成した吸着筒とパージガスを供給した吸着筒とを連通する均圧弁の開弁状態を維持するので、吸着筒間の状態（従って内部の吸着剤に含まれる水分等の状態）が均一化される。
【００２７】
（６）請求項６の発明は、通常運転時に前記吸着筒から供給される酸素濃縮ガスの供給量より、前記パージガスの供給量を大きくしたことを特徴とする。
本発明では、通常の酸素濃縮ガスの供給量より多い供給量で水分のパージを行うので、吸着剤から十分に水分を除去することができる。
【００２８】
（７）請求項７の発明は、前記酸素供給遮断手段が、電磁開閉弁又は流量比例制御弁であることを特徴としている。
本発明は、酸素供給遮断手段を例示したものである。ここで、流量比例制御弁としては、ソレノイドタイプの流量比例制御弁やアクチュエータ（ブラシレスＤＣモータやステッピングモータ等により駆動される）タイプの流量比例制御弁を採用できる。この流量比例制御弁を用いる場合には、流量の調整が可能であるので、マニュアルでの流量設定器を省略可能である。
【発明を実施するための最良の形態】
【００２９】
次に、本発明の最良の形態の例（実施例）について説明する。
【実施例１】
【００３０】
本実施例では、空気中から窒素吸着剤（以下吸着剤と記す）を用いて窒素を吸着して除去することにより酸素を濃縮し、この高濃度の酸素を含む酸素濃縮ガスを患者に対して供給する圧力変動吸着型の医療用酸素濃縮器（以下酸素濃縮器と記す）を例に挙げる。
【００３１】
ａ）まず、本実施例の酸素濃縮器の機能を実現するための各構成について説明する。
図１に示す様に、酸素濃縮器１は、その空気の導入路３に、上流側より、コンプレッサ５と、一対の三方向切換弁（第１切換弁７、第２切換弁９）と、吸着剤を充填した一対の吸着筒（第１吸着筒１１、第２吸着筒１３）とが設けられている。また、一対の吸着筒１１、１３には、三方向切換弁７、９を介して窒素を排気する排気路１５が設けられている。
【００３２】
更に、一対の吸着筒１１、１３の下流側には、両吸着筒１１、１３間を連通する第１連通路１７と、第１連通路１７に設けられて両吸着筒１１、１３間の圧力を調節する二方弁（均圧弁）１９と、両吸着筒１１、１３間を連通する第２連通路２１、第２連通路２１に設けられたオリフィス２３と、酸素濃縮ガスの逆流を防止する一対の逆止弁２５、２７と、酸素濃縮ガスを溜める製品タンク２９と、酸素濃縮ガスの圧力を調節する圧力調整器（レギュレータ）３１と、酸素濃縮ガスの流量を設定するロータリスイッチである流量設定器３３と、酸素濃縮ガスを外部に供給する流路３５を遮断する電磁開閉弁（即ち開閉２位置に作動する電磁弁）３７とが設けられている。
【００３３】
尚、本実施例の酸素濃縮器１は、連続ベース流量が毎分５Ｌの装置である。
また、本実施例では、図２に示す様に、酸素濃縮器１には、酸素濃縮器１の動作を制御する電子制御装置４１が搭載されている。
【００３４】
前記電子制御装置４１は、周知のマイクロコンピュータ（マイコン）４３を備え、その入力部４５には、電源スイッチ４７、流量設定器３３などが接続され、その出力部４９には、コンプレッサ５、三方向切換弁７、９、均圧弁１９、電磁開閉弁３７等が接続されている。
【００３５】
従って、電子制御装置４１には、電源スイッチ４７の操作を示す信号や、流量設定器３３により設定された設定流量を示す信号が入力する。また、電子制御装置４１からは、コンプレッサ５、三方向切換弁７、９、均圧弁１９、電磁開閉弁３７などの動作を制御する制御信号が出力される。
【００３６】
ｂ）次に、上述した構成を備えた本実施例の酸素濃縮器１の主要な動作について説明する。
本実施例の酸素濃縮器１では、第１吸着筒１１及び第２吸着筒１３における加圧・減圧を交互に繰り返すことにより、酸素の濃縮及び吸着剤の再生を行う。
【００３７】
例えばコンプレッサ５により、第１切換弁７を介して第１吸着筒１１に圧縮空気を送りこみ、吸着剤に窒素を吸着させて酸素を濃縮する。そして、所定時間が経過したら、両切換弁７、９により、加圧方向をもう一方の第２吸着筒１３に切り換えるとともに、第１吸着筒１１を大気側に接続し、吸着した窒素が減圧とともに排出されるようにする。
【００３８】
この様にして、両吸着筒１１、１３により、加圧時には酸素だけを抽出し、その酸素濃縮ガスを、下流の製品タンク２９、圧力調整器３１、流量設定器３３、電磁開閉弁３７を介して、外部（従って患者）に供給する。
【００３９】
これを、両吸着筒１１，１３に対して交互に繰り返すことにより、９０％以上の濃縮酸素を連続的に得ることができ、更に、製品タンク２９に溜めることにより変動を低減して連続性を確保している。尚、吸着剤には、窒素だけでなく水分も吸着されるので、加圧された吸着筒１１、１３から供給される酸素濃縮ガスは乾燥したものとなる。
【００４０】
特に本実施例では、酸素濃縮器１の電源スイッチ４７がＯＦＦ（オフ）された場合には、電磁開閉弁３７をＯＮ（オン）してその流路３５を遮断し、その状態で、酸素濃縮器１の動作を１サイクル分実施する。即ち、各吸着筒１１、１３において、それぞれ吸着工程（吸着筒１１、１３に空気を加圧供給し、吸着剤に窒素を吸着させて酸素濃縮を行う行程）と、排気行程（吸着筒１１、１３から内部のガス（空気等）を減圧排出し、吸着剤に吸着した窒素を離脱させて排出する行程）とを実施する。
【００４１】
これにより、例えば第１吸着筒１１で生成された酸素濃縮ガス（即ち吸着剤により水分及び窒素が除去された乾燥した高濃度の酸素濃縮ガス）を、パージガスとしてオリフィス２３を介して第２吸着筒１３に供給し、第２吸着筒１３に充填された吸着剤から水分を除去して外部に排出する。同様に、第２吸着筒１３で生成された酸素濃縮ガスを第１吸着筒１１に供給して吸着剤から水分を除去して外部に排出する。
【００４２】
ｃ）次に、前記電子制御装置４１による行われる制御処理について説明する。
図３のフローチャート及び図４のタイミングチャートに示す様に、酸素濃縮器１が作動している状態において、ステップ１００にて、電源スイッチ４７がＯＦＦに設定されたか否かを判定する。ここで肯定判断されるとステップ１１０に進み、一方否定判断されると一旦本処理を終了する。
【００４３】
ステップ１１０では、電源スイッチ４７がＯＦＦとなってからの前行程（図４参照）が継続しているので、三方向切換弁７、９の切換タイミング（即ち吸気行程と排気行程の切換タイミング）であるか否かを判定する。ここで肯定判断されるとステップ１２０に進み、一方否定判断されると切換タイミングまで待機する。
【００４４】
ステップ１２０では、電磁開閉弁３７をＯＮしてその流路３５を遮断する。
続くステップ１３０では、酸素濃縮器１が１サイクル分作動したか否かを判定する。ここで肯定判断されるとステップ１４０に進み、一方否定判断されると１サイクル分作動するまで待機する。この１サイクルとは、例えば第１吸着筒１１で吸気行程及び排気行程が完了したこと、即ち第２吸着筒１３で排気行程及び吸気行程が完了したことを意味する。
【００４５】
尚、均圧弁１９は、半サイクル毎に所定期間（均圧行程）だけＯＮされて第１連通路１７が開となり、両吸着筒１１、１３の圧力の均一化が図られる。
ステップ１４０では、１サイクル分作動したので、コンプレッサ５を停止する。
【００４６】
続くステップ１５０では、均圧弁１９の開放状態を通常より長く維持する。
続くステップ１６０では、電磁開閉弁３７をＯＦＦして流路３５を開き、全ての動作を停止して本処理を終了する。
【００４７】
ｄ）次に、上述した構成による本実施例の効果について説明する。
本実施例では、電源スイッチ４７がＯＦＦとされた場合には、電磁開閉弁３７をＯＮして流路３５を閉じ、酸素濃縮器１を１サイクル分作動させる。そして、第１吸着筒１１で生成された酸素濃縮ガスをパージガスとしてオリフィス２３を介して第２吸着筒１３に供給し、更に、第２吸着筒１３で生成された酸素濃縮ガスをパージガスとしてオリフィス２３を介して第１吸着筒１１に供給することにより、各吸着筒１１、１３における吸着剤の水分を除去し、その後、酸素濃縮器１の運転を停止する。
【００４８】
よって、簡易な構成及び制御で、両吸着筒１１、１３における吸着剤の寿命をバランス良く大きく延ばすことができる。しかも、この動作により、通常運転時に吸着筒１１、１３から供給される酸素濃縮ガスの供給量よりパージガスの供給量を大きくでき、しかも高い圧力の酸素濃縮ガスを供給できるので、吸着剤から効果的に水分を除去することができる。
【００４９】
また、本実施例では、酸素濃縮器１の運転停止が指示された場合には、吸着筒１１、１３における吸気又は排気の切換タイミングに到るまで待機してから、電磁開閉弁３７により流路３５を遮断している。これにより、一定時間毎に吸気行程と排気行程とを切り換える構成であっても、酸素濃縮ガスの圧力が過大になることがなく、適度な圧力のパージガスを、水分を除去する吸着筒１１、１３に供給することができる。
【００５０】
更に、本実施例では、酸素濃縮器１の運転を停止する場合には、コンプレッサ５を停止させてから、電磁開閉弁３７により流路３５を開放している。よって、結露が生じにくいという利点がある。
【００５１】
その上、本実施例では、パージガスを供給した後に酸素濃縮器１の運転を停止する場合には、その運転を停止するまで、均圧弁１９を開くので、吸着筒１１、１３間の圧力（従って水分の状態）が均一化される。
【００５２】
ｅ）次に、上述した効果を確認するために行った実験例について説明する。
前記実施例１の酸素濃縮器を、周囲温度３５℃、周囲湿度９０％（相対湿度）の環境下において、運転期間を３〜４日、停止期間を３〜４日として、その動作を３１回繰り返し（約３０００時間稼働）、運転を開始した際の酸素濃縮ガスの濃度を検査器（例えば限界電流式ジルコニア酸素センサを使用した酸素濃度計）を用いて測定した。その結果を図５に記す。
【００５３】
また、比較例として、前記パージガスの供給を行わないで、同様な実験を行った。その結果も図５に記す。
この図５から明らかな様に、本実施例の様にパージを行うものは、稼働時間が長くなっても、酸素濃縮ガスの酸素濃度の低下が少なく、吸着剤の寿命が長いので好適である。
【００５４】
それに対して、本実施例の様なパージを行わない比較例では、稼働時間が長くなると、酸素濃縮ガスの酸素濃度が早く低下し、吸着剤の寿命が短いので好ましくない。
【実施例２】
【００５５】
次に実施例２について説明するが、前記実施例１と同様な内容の説明は省略する。
図６に示す様に、本実施例の酸素濃縮器５１は、前記実施例１と同様に、コンプレッサ５３、一対の三方向切換弁（第１切換弁５５、第２切換弁５７）、一対の吸着筒（第１吸着筒５９、第２吸着筒６１）、均圧弁６３、オリフィス６５、一対の逆止弁６７、６９、製品タンク７１、圧力調整器（レギュレータ）７３等を備えている。
【００５６】
特に本実施例では、前記実施例１の流量設定器及び電磁開閉弁に代えて流量比例制御弁７５（図７参照）を用いている。この流量比例制御弁７５は、ステッピングモータ７７によりその開度を調節できるものであり、これによって、外部に供給する酸素濃縮ガスの流量の調節や流路７９の遮断を行うことができる。
【００５７】
本実施例によっても、前記実施例１と同様な効果を奏するとともに、流量設定器及び電磁開閉弁に代えて流量比例制御弁７５を用いるので、装置構成を簡易化できるという利点がある。
【００５８】
尚、本発明は前記実施例になんら限定されるものではなく、本発明の要旨を逸脱しない範囲において種々の態様で実施しうることはいうまでもない。
例えば、流量比例制御弁としては、ソレノイドタイプの流量比例制御弁などを用いることもできる。
【図面の簡単な説明】
【００５９】
【図１】実施例１の酸素濃縮器の基本構成を示す説明図である。
【図２】実施例１の酸素濃縮器の電子制御装置の電気的構成を示す説明図である。
【図３】実施例１の電子制御装置にて行われる処理を示すフローチャートである。
【図４】実施例１の電子制御装置にて行われる処理を示すタイミングチャートである。
【図５】実施例１の実験結果を示すグラフである。
【図６】実施例２の酸素濃縮器の基本構成を示す説明図である。
【図７】実施例２の酸素濃縮器に用いられる流量比例制御弁を示す説明図である。
【符号の説明】
【００６０】
１、５１…酸素濃縮器
５、５３…コンプレッサ（空気供給手段）
７、９、５５、５７…三方向切換弁（加減圧切換手段）
１１、１３、５９、６１…吸着筒
１９、６３…均圧弁
３７…電磁開閉弁（酸素供給遮断手段）
３３…流量設定器
２３、６５…オリフィス
７５…流量比例制御弁 （酸素供給遮断手段）
【図１】
2005312766.tif 000003
【図２】
2005312766.tif 000004
【図３】
2005312766.tif 000005
【図４】
2005312766.tif 000006
【図５】
2005312766.tif 000007
【図６】
2005312766.tif 000008
【図７】
2005312766.tif 000009